(57)【要約】【課題】撮影機器本体の外部接続端子を不使用時に保護する端子蓋の本体連結部を本体に対して挿抜する時に、挿抜作業性が悪かったり、本体内部のフレキシブル配線板との接触による電気配線の断線や、引っ掛かかりによって引き出し操作ができなくなるといった課題があった。【解決手段】撮影機器本体の外部機器端子を不使用時に保護する端子蓋が撮影機器本体から引き出されたときに撮影機器本体に連結される本体連結部を挿入する挿入口内で、端子蓋の本体連結部とその収納空間を、外部接続端子から離れるに従い本体外装面方向へ湾曲した形状とすることにより、端子蓋の本体連結部の挿抜作業性向上と、外部機器端子の本体外部接続端子への装着作業性向上が可能となる。【選択図】図５
2017116616.tif 000002
【特許請求の範囲】
【請求項１】
本体に挿抜可能に電気的接続を行う外部機器との接続端子と、前記接続端子の非使用時に前記接続端子を保護する蓋部材を備えた電子機器において、
前記接続端子に近接して電気的に動作切換を行う操作部材と、前記接続端子と前記操作部材間に設けられた開口部とを備え、
前記蓋部材は前記開口部に対して進退できる腕部を有し、前記腕部が進退することによって、前記接続端子を保護した状態と露出した状態の間で変位し、
前記開口部内部には、前記腕部の本体内部への進入を案内するガイド面となる前記接続端子から離れるに従い本体外装面方向へ湾曲した形状の壁部と、前記壁部の反対の面には前記操作部の電気信号配線を行うフレキシブル配線板の位置を規制する規制面を有し、
前記蓋部材の前記腕部は、前記ガイド面と同等に湾曲した形状となっていることを特徴とする電子機器の蓋構造。
【請求項２】
前記蓋部材は、本体に対して、着脱可能となっていることを特徴とする請求項１に記載の蓋部材を備えた電子機器。
【請求項３】
前記蓋部材は本体から引き出された状態で前記接続端子に装着される外部機器接続部の挿抜経路から退避することを特徴とする請求項１又は請求項２に記載の蓋部材を備えた電子機器。
【発明の詳細な説明】
【技術分野】
【０００１】
本発明は、撮影機器等の本体に設けられた外部機器との外部接続端子の非使用時の保護状態と接続可能状態に変位する端子蓋と、端子蓋の本体連結部を収納する本体収納部の内部構造に関する。
【背景技術】
【０００２】
従来の撮影機器等の本体の外部接続端子の端子蓋には、本体内に本体連結部をもぐりこませて収納し、外部機器端子使用時に引き出して接続可能としたものがある（特許文献１参照）。
【先行技術文献】
【特許文献】
【０００３】
【特許文献１】特開２０１４―２２２７４４号公報
【発明の概要】
【発明が解決しようとする課題】
【０００４】
しかしながら、上記の特許文献１では、端子蓋の本体連結部を収納する本体内部の空間部は本体角部に合わせて湾曲しているため、本体から端子蓋の本体連結部が引き出されたとき、外部機器端子の挿抜範囲から退避させるために、本体から離れる方向に強制湾曲しなければならない。また、本体から端子蓋が引き出された状態から本体連結部を本体内に収納する時、本体連結部を変形させたまま挿入しなければならないため、収納しづらいといった問題があった。
【課題を解決するための手段】
【０００５】
上記の課題を解決するために、本発明に係る電子機器の蓋構造は、
本体に挿抜可能に電気的接続を行う外部機器との接続端子と、前記接続端子の非使用時に前記接続端子を保護する蓋部材を備えた電子機器において、
前記接続端子に近接して電気的に動作切換を行う操作部材と、前記接続端子と前記操作部材間に設けられた開口部とを備え、
前記蓋部材は前記開口部に対して進退できる腕部を有し、前記腕部が進退することによって、前記接続端子を保護した状態と露出した状態の間で変位し、
前記開口部内部には、前記腕部の本体内部への進入を案内するガイド面となる前記接続端子から離れるに従い本体外装面方向へ湾曲した形状の壁部と、前記壁部の反対の面には前記操作部の電気信号配線するフレキシブル配線板の位置を規制する規制面を有し、
前記蓋部材の前記腕部は、前記ガイド面と略同等に湾曲した形状となっていることを特徴とする。
【発明の効果】
【０００６】
本発明に係る電子機器の蓋構造によれば、端子蓋の本体連結部を本体内に挿抜する操作が容易となり、端子蓋の引き出し時は外部機器端子に装着する外部機器接続部の装着も容易になった。
【図面の簡単な説明】
【０００７】
【図１】本発明実施例の撮影機器の全体像を示す斜視図
【図２】本発明実施例の端子蓋の単部品状態を示す斜視図
【図３】本発明実施例の撮影機器の外部機器との接続端子周りの部品構成を表す展開斜視図
【図４】本発明実施例の断面位置を示す図１の撮影機器の側面図
【図５】本発明実施例の外部機器端子が未装着状態で端子蓋によって保護されている状態を示す断面図
【図６】本発明実施例の外部機器端子が装着状態で、端子蓋が引き出された状態を示す断面図
【図７】本発明実施例の外部機器端子が装着状態で、端子蓋が引き出され、図４で示した２つの断面が合成された状態を示す断面図
【図８】本発明実施例の外部機器端子を外して、端子蓋収納する途中状態を示した断面図
【発明を実施するための形態】
【０００８】
以下、本発明を実施するための形態を図面に基づいて説明する。
【０００９】
＜第１の実施形態＞
図１は本発明の実施例である撮影機器の全体像を示す斜視図で、図１（ａ）は撮影機器の前面、かつ、本体外部接続端子配置側から見た斜視図、図１（ｂ）は撮影機器の背面、かつ、本体外部接続端子配置側から見た斜視図、図１（ｃ）は撮影機器の前面、かつ、図１（ａ）の反対側面であるグリップ側から見た斜視図である。
【００１０】
図中、１は端子蓋、２は撮影機器の動作状態を切り替える操作部である。撮影機器全体の構成要素を説明すると、撮影機器本体１００、撮影機器本体１００に装着可能な外部マイク装着アダプタである外部機器１１０、撮影機器本体１００と外部機器１１０を電気的に接続する接続ケーブル１２０、接続ケーブル１２０の一端は、第１外部機器端子２０が撮影機器本体１００に装着され、他端は第２外部機器端子３０が外部機器１１０に装着されている。
【００１１】
外部機器１１０には外部マイク１３０が装着され、外部マイクケーブル１４０によって電気的に外部機器１１０に接続されている。外部機器１１０には、接続ケーブル１２０が撮影機器本体１００、及び、外部機器１１０に接続されている状態でぶらぶらした不安定な状態を解消するために、接続ケーブル１２０のケーブル部を挟みこんで安定させるケーブルクランプ１５０が背面側に設けられている。
【００１２】
１７０は撮影レンズであるレンズ鏡筒、１８０は、撮影状態や設定状態を表示する表示パネル、１９０は、撮影機器本体１００を把持するグリップである。
【００１３】
図２は端子蓋１の単部品状態を示す斜視図であり、図２（ａ）は外観部となる面から見た斜視図、図２（ｂ）は外観部の内側から見た斜視図である。
【００１４】
端子蓋１は、端子保護部１ａと本体連結部１ｂ、本体抜け止め部１ｃから構成されており、端子蓋１全体は弾性変形可能な材料で作成されている。
【００１５】
図３は撮影機器の外部機器との接続端子周りの部品構成を表す展開斜視図である。図４は後述にて説明する図５から図８の断面図の断面位置を示す撮影機器の側面図である。
【００１６】
図中、第１断面２００と第２断面２１０は、異なる断面位置を示しており、この断面位置の違いによる本体内側の構造の違いを後述する。
【００１７】
図５は図４の第１断面２００位置での断面図で、図中、３は第１外部機器端子２０が接続される本体側の外部接続端子で、第１外部機器端子２０が非装着で端子蓋１の端子保護部１ａによって保護されている状態を示している。
【００１８】
図６は同じく図４の第１断面２００位置での断面図で、端子蓋１の端子保護部１ａは本体連結部１ｂの長さ分撮影機器本体１００より引き出され、外部接続端子３に第１外部機器端子２０が装着された状態を示している。
【００１９】
図７は図６の断面図に対して、図中、２点鎖線部の内側に示される範囲を図４の第２断面２１０位置での断面に置き換えた２つの断面が合成された断面で、端子蓋１の端子保護部１ａは、本体連結部１ｂの長さ分撮影機器本体１００より引き出され、外部接続端子３に第１外部機器端子２０が装着された状態をを示している。
【００２０】
図３〜７において、外部接続端子３の周囲には端子部外装カバー４の円環部４ａが外観部として配置されている。外部接続端子３の近傍には操作部２が配置され、操作部２の周囲には操作部外装カバー５が構成されている。端子部外装カバー４には円環部４ａと操作部２の間に開口部４ｂが設けられている。端子部外装カバー４の円環部４ａは撮影機器本体１００の上面部を構成する上面外装カバー６の穴部６ａと組み合せることで外部接続端子３周囲の外観カバーが構成される。上面外装カバー６の穴部６ａの操作部２側には、凹部６ｂが形成され、開口部４ｂと凹部６ｂが組み合わさることで挿入口８が形成され、端子蓋１の本体連結部１ｂ、本体抜け止め部１ｃが挿入される。端子部外装カバー４と操作部外装カバー５、上面外装カバー６は撮影機器本体１００として一体的に固定されている。
【００２１】
挿入口８内部には、不指示の係止部が設けられ、この係止部と本体抜け止め部１ｃが係合することで、端子蓋１は容易に脱落しないようになっている。ただし、端子蓋１は弾性変形可能な材料で作成されているため、強引に引っ張れば、本体抜け止め部１ｃが変形して撮影機器本体１００から外すことは可能である。そして、本体抜け止め部１ｃを変形させながら不指示の係止部を乗り越えることで再装着も可能となる。
【００２２】
挿入口８の内部には、壁部７が設けられ、壁部７の端部７ａが開口部４ｂから延長された内壁４ｃに近接してほぼ連続した壁を形成している。壁部７の対面は操作部外装カバー５の端部５ａが配置され、両者の間に本体連結部１ｂが収納時挿入される空間９が形成され、この空間９は外部接続端子３から遠ざかり操作部外装カバー５方向へ延びた湾曲形状となっている。端子蓋１の本体連結部１ｂは空間９に沿った湾曲形状となっており、図５の挿入状態で自然に空間９に収まる。又、端子蓋１が撮影機器本体１００から引き出された状態では、図６で示されるように、自然に外部接続端子３に装着された第１外部機器端子２０から離れた状態となる。
【００２３】
壁部７の空間９に対する背面側は、図４の第１断面２００位置では操作部２の操作検出を行うスイッチが実装されたフレキシブル配線板１１が配置されている。フレキシブル配線板１１は、操作部２のスイッチ実装部１１ａから壁部７の背面側を通り、壁部７によって外部接続端子３の内部後端３ａから遠ざかりレンズ保持ベース１０側へと導くようにガイドされ、図３で示されている主基板１２のフレキコネクタ１２ａに接続されている。又、主基板１２には、外部接続端子３から延びた外部接続端子ケーブル１３もケーブルコネクタ１２ｂで接続されている。
【００２４】
次に、図７の２点鎖線の内側に部分的に示されている図４に於ける第２断面２１０の断面位置では、壁部７は背面側のレンズ鏡筒１７０を固定するレンズ保持ベース１０の鏡筒外周壁１０ａが配置されている。壁部７と空間９は、この鏡筒外周壁１０ａから退避するような湾曲形状であり、端子蓋１の本体連結部１ｂと本体抜け止め部１ｃが収納に必要な空間９の長さは、挿入口８から外部接続端子３の内部後端３ａより奥行き深さ方向ではなく、鏡筒外周壁１０ａに沿った外部接続端子３から離れていく方向に確保される。そのため、挿入口８の近傍では、外部接続端子３の内部後端３ａの奥行き側に空間を必要とせず、挿入口８が設けられている端子部外装カバー４の外観面をふくらまさないで構成できる。
【００２５】
図８は外部接続端子３から第１外部機器端子２０が外され、端子蓋１の端子保護部１ａを外部接続端子３を保護する位置へ収納する途中状態を示した断面図である。
【００２６】
端子蓋１の本体抜け止め部１ｃの先端は、壁部７の表面に案内されて、本体連結部１ｂがほぼ強制変形しなくても空間９に収まっていき、フレキシブル配線板１１とは接触しない。端子蓋１の端子保護部１ａが外部接続端子３に収まった位置まで挿入された状態で図５の状態となる。
【００２７】
上記、構成によって、端子蓋１は湾曲形状した端子保護部１ａと空間９により撮影機器本体内部からの引き出し状態、及び、挿入途中から挿入完状態まで、スムーズな挿抜を可能としている。そして、空間９の湾曲形状と端子蓋１の本体連結部１ｂを略同等形状としたことで、端子蓋１を撮影機器本体１００から引き出した状態で、端子蓋１の端子保護部１ａが自然に第１外部機器端子２０の装着軌跡から離れるため、第１外部機器端子２０の外部接続端子３への装着作業がやりやすいといった効果も得られる。また、挿入口８内部に近接してフレキシブル配線板を配置可能とし、壁部７は、端子蓋１の本体連結部１ｂ、本体抜け止め部１ｃと、外部接続端子３、あるいは、フレキシブル配線板１１との接触を防ぎ、電気配線の断線防止や、引っ掛かりによる挿抜操作不良を防止している。他に、湾曲形状させた空間９と端子蓋１の本体連結部１ｂと本体抜け止め部１ｃは、挿入口８が設けられる端子部外装カバー４の外観面のふくらみを押さえ、撮影機器本体１００の小型化にも寄与している。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２９】
１  端子蓋、１ａ  端子保護部、１ｂ  本体連結部、１ｃ  本体抜け止め部、
２  操作部、３  外部接続端子、４  端子部外装カバー、５  操作部外装カバー、
６  上面外装カバー、７  壁部、８  挿入口、９  空間、１０  レンズ保持ベース、
１１  フレキシブル配線板、１２  主基板、１３  外部接続端子ケーブル、
２０  第１外部機器端子、３０  第２外部機器端子、１００  撮影機器本体、
１１０  外部機器、１２０  接続ケーブル、１３０  外部マイク、
１４０  外部マイクケーブル、１５０  ケーブルクランプ、１７０  レンズ鏡筒、
１８０  表示パネル、１９０  グリップ、２００  第１断面、２１０  第２断面
【図１】
2017116616.tif 000003
【図２】
2017116616.tif 000004
【図３】
2017116616.tif 000005
【図４】
2017116616.tif 000006
【図５】
2017116616.tif 000007
【図６】
2017116616.tif 000008
【図７】
2017116616.tif 000009
【図８】
2017116616.tif 000010